(57)【要約】【課題】  耐震性が高く、かつ熟練を要さずに確実な施工を能率良く行うことのできる、天井施工用ハンガーを提供する。【解決手段】  野縁受け１１を嵌め入れる嵌入手段２と、この嵌入手段２に嵌め入れられた野縁受け１１を固定する固定手段３とを有し、嵌入手段２は、ボルト挿通孔２３が形成された上板部２１と、この上板部２１から下方向に延出されるとともに野縁受け１１を嵌め入れ可能に上方向が略凹状に開口してなる嵌入凹部２２とを有し、固定手段３は、嵌入凹部２２の一端部を基端として上下方向に開閉揺動可能に連結された揺動連結部３１と、嵌入凹部２２に嵌め入れられた野縁受け１１を固定する固定部３２と、この固定部３２から上方に延出されるとともにその先端側が折り曲げられており固定部３２が野縁受け１１を固定する位置に配置された際に上板部２１の上面に重なり合う固定部側上板部３３とを有する。【選択図】  図２
2017222990.tif 000002
【特許請求の範囲】
【請求項１】
建築構造体に支持された吊りボルトに対して長尺状の野縁受けを水平に吊り下げるための天井施工用ハンガーであって、
前記野縁受けを嵌め入れる嵌入手段と、この嵌入手段に嵌め入れられた野縁受けを固定する固定手段とを有し、
前記嵌入手段は、ボルト挿通孔が形成された上板部と、この上板部から下方向に延出されるとともにその下端において前記野縁受けを嵌め入れ可能に上方向が略凹状に開口してなる嵌入凹部とを有し、
前記固定手段は、前記嵌入凹部の一端部を基端として上下方向に開閉揺動可能に連結された揺動連結部と、この揺動連結部が閉じる方向に揺動した際に前記嵌入凹部に嵌め入れられた野縁受けを固定する固定部と、この固定部から上方に延出されるとともにその先端側が折り曲げられており前記固定部が前記野縁受けを固定する位置に配置された際に前記上板部の上面に重なり合う固定部側上板部とを有する、前記天井施工用ハンガー。
【請求項２】
前記上板部の下面には、前記吊りボルトに螺合可能なナットが前記ボルト挿通孔と同軸上に回転自在に取り付けられている、請求項１に記載の天井施工用ハンガー。
【請求項３】
前記固定部側上板部には、前記上板部に重なった際に吊りボルトを嵌入しうる切り欠きが形成されており、この切り欠きの縁部には、上方に屈曲させてなるボルト係合片が形成されている、請求項１または請求項２に記載の天井施工用ハンガー。
【発明の詳細な説明】
【技術分野】
【０００１】
本発明は、建築構造体に支持された吊りボルトに対して長尺状の野縁受けを水平に吊り下げるための天井施工用ハンガーに関するものである。
【背景技術】
【０００２】
建築構造体において天井材は、一般的に、次のような構成で支持されている。
【０００３】
まず、建築構造体には、吊りボルト控用インサートまたはアンカー等が設置されており、吊りボルトに対して複数本の長尺状の野縁受けが水平に支持されている。また、これら野縁受けの下方には天井施工用クリップを介して直交するように複数本の長尺形状の野縁が取り付けられている。そして、天井材は、複数本の前記野縁にビス等により固定されている。
【０００４】
天井施工用ハンガーは、吊りボルトに対して長尺状の野縁受けを水平に吊り下げるための部材であり、その一部を吊りボルトに挿通させ上下のナットにより挟持することで設置される。そして、下端側の略凹状に形成された嵌入凹部に野縁受けを嵌入させることで野縁受けを支持するようになっている。このとき、吊りボルトに設置する際の下側のナットの位置を調整することで野縁受けの高さレベルが調整できるようになっている。
【０００５】
しかし、天井施工用ハンガーは、設置個数が多いため、レベル調整を均一にするのが困難である。そのため、部分的な天井施工用ハンガーに野縁受け等による荷重負荷が集中してしまい、前記嵌入凹部が集中荷重に耐えきれず広がってしまうという問題がある。
【０００６】
そこで、これまでに嵌入凹部を広がり難くするため、特開平７−２０７８０９号公報では、野縁受けを嵌め入れる嵌入凹部の外側壁部上端に切欠溝を形成し、本体部には、上下方向に延びる支持部片およびこれの上端部の係止部片からなる受け部広がり阻止片を形成する切り込みを、前記支持部片の下端部を切り残した状態に形成し、前記受け部広がり阻止片を本体部の表側へ引き起こすことによって、その係止部片を切欠溝に係止させ得るように構成した、天井施工用ハンガーに関する発明が提案されている（特許文献１）。
【０００７】
また、天井施工用ハンガーについてはＪＩＳ規格（ＪＩＳ Ａ ６５１７）が定められており、当該天井施工用ハンガーによる野縁受けの取り付け方法は学会等において様々な規定や方針が定められている（非特許文献１、非特許文献２、非特許文献３）。
【先行技術文献】
【特許文献】
【０００８】
【特許文献１】特開平７−２０７８０９号公報
【非特許文献】
【０００９】
【非特許文献１】文部科学省、「学校施設における天井等落下防止対策のための手引き」、［online］、平成２５年８月、文部科学省、［平成２８年３月１６日検索］、インターネット＜URL:http://www.nier.go.jp/shisetsu/pdf/ceiling_all.pdf＞
【非特許文献２】日本耐震天井施工協同組合、「耐震Ｐｏｗｅｒ天井（ＲＰクリップ仕様）施工要領書」、［online］、２０１２年４月２７日、日本耐震天井施工協同組合、［平成２８年３月１６日検索］、インターネット＜URL:http://www.jacca.or.jp/download-gc/doc/001_taishin_Power_tenjo.pdf＞
【非特許文献３】日本建築学会  非構造材の安全評価及び落下事故防止に関する特別調査委員会、「天井等の非構造材の落下事故防止ガイドライン」、［online］、２０１３年４月４日、日本建築学会、［平成２８年３月１６日検索］、インターネット＜URL:http://www.aij.or.jp/scripts/request/document/20130304.pdf＞
【発明の概要】
【発明が解決しようとする課題】
【００１０】
しかしながら、特許文献１に記載された発明においては、受け部広がり阻止片を切欠溝に係止させるに当たり、係止が不十分であったり、地震による振動、室内外の温度差により出入口開口時の生じる風圧による天井の上下の揺れ等、種々の振動を受けることにより、前記受け部広がり阻止片が前記切欠溝から外れてしまうという問題がある。
【００１１】
そのため、受け部広がり阻止片の係止作業を慎重に行う必要があるが、現状、天井に対する天井施工用ハンガーの設置個数が非常に多く、しかも単純作業であるため迅速に作業することも求められることから、不確実な施工が行われ易い。また、天井材を野縁に貼ると天井施工用ハンガーの施工状態が隠れてしまい目視できなくなるため、不確実な施工が行われたとしてもその瑕疵を事前に見つけることは困難である。
【００１２】
また、ＪＩＳ規格（ＪＩＳ Ａ ６５１７）では、吊りボルトには吋規格の３／８ウイットねじを用いることとされているところ、許容範囲を考慮して外径９.０ｍｍ〜９.１ｍｍのボルトが使用されている。これに対して、ナットは吋規格の３／８−１６ウイットねじを用いることとなり、このナットはミリ単位に換算すると谷の径が９.５２５ｍｍであることから、吊りボルトとナットとの間に比較的大きな隙間が生じ、振動等によって直ぐに弛むという問題もある。
【００１３】
よって、非特許文献１、非特許文献２および非特許文献３等の規定や方針が定められているものの、熟練施工者の人手不足もあって天井施工用ハンガーの破損による天井材の落下事故が後を絶たない。
【００１４】
本発明は、以上のような問題点を解決するためになされたものであって、耐震性が高く、かつ熟練を要さずに確実な施工を能率良く行うことのできる、天井施工用ハンガーを提供することを目的としている。
【課題を解決するための手段】
【００１５】
本発明に係る天井施工用ハンガーは、建築構造体に支持された吊りボルトに対して長尺状の野縁受けを水平に吊り下げるための天井施工用ハンガーであって、前記野縁受けを嵌め入れる嵌入手段と、この嵌入手段に嵌め入れられた野縁受けを固定する固定手段とを有し、前記嵌入手段は、ボルト挿通孔が形成された上板部と、この上板部から下方向に延出されるとともにその下端において前記野縁受けを嵌め入れ可能に上方向が略凹状に開口してなる嵌入凹部とを有し、前記固定手段は、前記嵌入凹部の一端部を基端として上下方向に開閉揺動可能に連結された揺動連結部と、この揺動連結部が閉じる方向に揺動した際に前記嵌入凹部に嵌め入れられた野縁受けを固定する固定部と、この固定部から上方に延出されるとともにその先端側が折り曲げられており前記固定部が前記野縁受けを固定する位置に配置された際に前記上板部の上面に重なり合う固定部側上板部とを有する。
【００１６】
また、本発明の一実施形態として、前記上板部の下面には、前記吊りボルトに螺合可能なナットが前記ボルト挿通孔と同軸上に回転自在に取り付けられていてもよい。
【００１７】
さらに、本発明の一実施形態として、前記固定部側上板部には、前記上板部に重なった際に吊りボルトを嵌入しうる切り欠きが形成されており、この切り欠きの縁部には、上方に屈曲させてなるボルト係合片が形成されていてもよい。
【発明の効果】
【００１８】
本発明によれば、耐震性が高く、かつ熟練を要さずに確実な施工を能率良く行うことができる。
【図面の簡単な説明】
【００１９】
【図１】本発明に係る天井施工用ハンガーの第一実施形態の使用状態を示す斜視図である。
【図２】本第一実施形態の天井施工用ハンガーを示す斜視図である。
【図３】本第一実施形態の天井施工用ハンガーを用いた野縁受けの取り付け方法を示す正面図である。
【図４】本第一実施形態の天井施工用ハンガーの使用状態を示す正面図である。
【図５】本発明に係る天井施工用ハンガーの第二実施形態の使用状態を示す（ａ）正面図および（ｂ）右側面図である。
【図６】本第二実施形態の天井施工用ハンガーを用いた野縁受けの取り付け方法を示す正面図である。
【発明を実施するための形態】
【００２０】
以下、本発明に係る天井施工用ハンガーの第一実施形態について図面を用いて説明する。
【００２１】
天井施工用ハンガー１Ａは、図１に示すように、建築構造体に支持された吊りボルト１０に対して長尺状の野縁受け１１を水平に吊り下げるためのものである。本第一実施形態における天井施工用ハンガー１Ａは、プレス加工による順送金型で容易に製造されるものであり、図２に示すように、主に、野縁受け１１を嵌め入れる嵌入手段２と、この嵌入手段２に嵌め入れられた野縁受け１１を固定する固定手段３とから構成されている。以下、各構成について説明する。
【００２２】
嵌入手段２は、野縁受け１１を嵌入保持して吊りボルト１０に対して水平に支持するものであり、図２に示すように、上端側の上板部２１と、この上板部２１から下方向に延出された嵌入凹部２２とを有している。
【００２３】
上板部２１は、略矩形板状に形成されており中央に吊りボルト１０を挿通させるボルト挿通孔２３が形成されている。また、上板部２１の下面には、前記吊りボルト１０に螺合し得るナット２４が前記ボルト挿通孔２３と同軸上に回転自在に取り付けられている。
【００２４】
嵌入凹部２２は、野縁受け１１を嵌め入れるものであり、その下端において野縁受け１１を嵌め入れ可能に上方向が略凹状に開口されている。具体的には、図２ないし図４に示すように、上板部２１の一縁部を略垂直下方向に折り曲げて延出されているとともに、その下端側を略水平かつ外側方向に折り曲げ、さらにその先端側を略垂直上方向に折り曲げることにより形成されている。
【００２５】
また、前記嵌入凹部２２の外側面には、後述する固定手段３の揺動連結部３１を連結させるための連結掛止部２５が形成されている。この連結掛止部２５は、前記嵌入凹部２２の外側面を外方向に膨出するように折り曲げられ、断面略台形状に形成されているとともに、前記揺動連結部３１を上下方向に開閉揺動可能に掛止させる揺動掛止孔２６が形成されている。また、前記揺動掛止孔２６には、下方に向けて嵌入凹部２２の底部まで縦長状に開口された挿入溝２７が形成されており、前記揺動連結部３１を連結する際に下方まで挿入できるようになっている。また、前記挿入溝２７は、前記揺動連結部３１を嵌入凹部２２に対して直交させた状態で挿入する溝であるため、前記揺動連結部３１の厚さよりも若干大きい幅に形成されている。
【００２６】
次に、固定手段３について説明する。固定手段３は、嵌入手段２に嵌め入れられた野縁受け１１を固定するものであり、図２に示すように、上下方向に開閉揺動可能に連結された揺動連結部３１と、嵌入凹部２２に嵌め入れられた野縁受け１１を固定する固定部３２と、この固定部３２から上方に延出されて上板部２１の上面に重なり合う固定部側上板部３３とを有する。
【００２７】
揺動連結部３１は、嵌入凹部２２に形成された揺動掛止孔２６および挿入溝２７に直交させて挿入後、約９０°回転させて連結掛止部２５に掛止させることで、容易に嵌入手段２と固定手段３との組み立てができるようになっている。具体的には、先端側に前記連結掛止部２５の裏側に掛止する掛止部３４と、揺動掛止孔２６に係合するくびれ部３５とを有しており、固定手段３が揺動掛止孔２６を中心に上下方向に開閉揺動可能とされている。
【００２８】
また、当該掛止部３４は、図３に示すように、固定手段３が略水平に揺動されて嵌入凹部２２が開いている状態では、その先端が嵌入凹部２２の内側方向若干突出されている。
【００２９】
次に、固定部３２は、図４に示すように、嵌入凹部２２の上方開口面を塞ぐことにより前記嵌入凹部２２に嵌め入れられた野縁受け１１を上方から押さえて固定するためのものである。本第一実施形態では、揺動連結部３１に対して略直角方向に折り曲げられて形成されている。
【００３０】
固定部側上板部３３は、固定部３２による野縁受け１１の固定状態を保持するためのものである。本第一実施形態では、前記固定部３２から嵌入手段２の嵌入凹部２２に沿うようにして上方に延出されるとともに、図２および図４に示すように、固定部３２が野縁受け１１を固定する位置に配置された際に上板部２１の上面に重なり合うようにその先端側を略直角に折り曲げて形成されている。
【００３１】
また、図２に示すように、固定部側上板部３３には、上板部２１に重なった際に吊りボルト１０を嵌入しうる切り欠き３６が形成されている。この切り欠き３６の縁部には、挿入された吊りボルト１０のねじ谷部に食い込むように係合するボルト係合片３７が形成されている。本第一実施形態では、図２に示すように、前記切り欠き３６の縁部に一対のスリットを切り込んで、それらスリット間の縁部を上方に屈曲させることにより形成されている。
【００３２】
次に、本第一実施形態の天井施工用ハンガー１Ａにおける各構成の作用について、取り付け方法とともに説明する。
【００３３】
まず、図３に示すように、天井施工用ハンガー１Ａを固定するための上側ナット１２を吊りボルト１０に螺合させる。そして、吊りボルト１０を上板部２１のボルト挿通孔２３に挿通させるとともに、上板部２１の下面に取り付けられたナット２４を螺合させる。
【００３４】
次に、固定手段３を下方向に揺動させて嵌入凹部２２の開口を開いた状態にし、野縁受け１１を前記嵌入凹部２２の開口側から挿入する。
【００３５】
このとき、揺動連結部３１における掛止部３４の先端が嵌入凹部２２の内方向に若干突出しているため、野縁受け１１を嵌入凹部２２に挿入すると、前記掛止部３４の先端が前記野縁受け１１の底面によって下方に押される。これにより、固定手段３は、揺動連結部３１を基端として、てこのように上方向へ揺動する。
【００３６】
固定手段３が上方向へ揺動し、図４に示すように、固定部側上板部３３が上板部２１の上面に重なり合う位置まで揺動すると、固定部３２が野縁受け１１の上面を押さえるようにして当該野縁受け１１を嵌入凹部２２に固定する。
【００３７】
次に、上板部２１の下面に取り付けられたナット２４を上下方向に適宜螺進させることによって、野縁受け１１の高さレベルの調整を行う。そして、予め螺合させておいた上側ナット１２を下方に螺進させることによって嵌入手段２の上板部２１と固定手段３の固定部側上板部３３とを共に挟持し、天井施工用ハンガー１Ａを固定する。
【００３８】
ボルト係合片３７は、上側ナット１２によって上板部２１と固定部側上板部３３とを挟持するのに伴い、上方に屈曲されていた状態から固定部側上板部３３に沿った真っ直ぐな状態に変形し、その先端が吊りボルトのねじ谷部に食い込むように係合する。そのため、仮に上側ナット１２が弛んでも固定部側上板部３３は上下方向の動きが規制され、吊りボルト１０に固定されたままの状態を保つ。
【００３９】
以上のような本第一実施形態の天井施工用ハンガー１Ａによれば、以下の効果を得ることができる。
１．上板部２１および固定部側上板部３３を上下のナット２４，１２で挟持することで、嵌入凹部２２に嵌め入れられた野縁受け１１を確実に固定することができる。
２．ボルト係合片３７が吊りボルト１０のねじ谷部に係合して固定されることで、固定部側上板部３３が吊りボルト１０から外れるのを防止することができる。
３．嵌入手段２と固定手段３とを一部材としたことから、部材管理が容易であるとともに、だれでも容易に取り付け作業を行うことができる。
【００４０】
次に、本発明に係る天井施工用ハンガーの第二実施形態について図５および図６を用いて説明する。なお、本第二実施形態の天井施工用ハンガー１Ｂのうち、上述した第一実施形態の構成と同等または相当する構成については、再度の説明を省略する。
【００４１】
本第二実施形態の天井施工用ハンガー１Ｂでは、前述した第一実施形態とは異なり、嵌入手段２の嵌入凹部２２は、吊りボルト１０が挿通されるボルト挿通孔２３の真下に配置されるように形成されている。具体的には、図５に示すように、上板部２１の一縁部を略垂直下方向に折り曲げるとともに、その下端側を略水平かつ内側方向に折り曲げ、さらにその先端側を略垂直上方向に折り曲げることにより形成されている。
【００４２】
また、本第二実施形態における固定手段３の固定部３２は、嵌入凹部２２側に突出するように形成されている。具体的には、図５（ｂ）に示すように、上下長尺状の固定部３２のうち左右両側部において、上端部を切り残して略短冊状に形成した略Ｌ字状のスリットを形成し、これら一対のスリットを図５（ａ）に示すように、嵌入凹部２２側に折り曲げて突出するように形成されている。また、本第二実施形態では、固定部３２に対向する嵌入凹部２２にも内側方向に突出する突起部２８が形成されている。
【００４３】
そして、固定部側上板部３３は、揺動連結部３１に沿うように延出されており、その先端が略直角状に折り曲げられている。
【００４４】
次に、本第二実施形態の天井施工用ハンガー１Ｂにおける各構成の作用について、取り付け方法とともに説明する。
【００４５】
まず、図６に示すように、第一実施形態と同様に、吊りボルト１０に予め上側ナット１２を螺合させる。そして、上板部２１のボルト挿通孔２３を吊りボルト１０に挿通させ、その下面のナット２４を吊りボルト１０に螺合させる。
【００４６】
次に、野縁受け１１を嵌入凹部２２の開口側から挿入する。このとき揺動連結部３１の掛止部３４が野縁受け１１の底面によって下方に押されことに連動して、固定手段３が上方に揺動されて、固定部３２が前記野縁受け１１の上面に配置される。これにより、固定部３２は、嵌入凹部２２の突起部２８とともに野縁受け１１の上角部を上方から押さえつけるようにして、前記野縁受け１１を確実に固定することができる。
【００４７】
そして、固定部側上板部３３は、嵌入凹部２２とは吊りボルト１０の軸に対して軸対称となる位置に配置され、その先端が上板部２１の先端と対向するようにして前記上板部２１の上面に重ねられた後、上下のナット２４，１２により挟持される。
【００４８】
以上より、本第二実施形態の天井施工用ハンガー１Ｂによれば、第一実施形態の天井施工用ハンガー１Ａと同様の作用効果を奏するとともに、吊りボルト１０の軸に対して軸対称に配置された嵌入手段２と固定手段３とで略均等に野縁受け１１の荷重を支持することとなり、捻れにも強く野縁受け１１を吊り下げることができる。
【００４９】
なお、本発明に係る天井施工用ハンガーは、前述した各実施形態に限定されるものではなく、適宜変更することができる。
【符号の説明】
【００５０】
１Ａ，１Ｂ  天井施工用ハンガー
２  嵌入手段
３  固定手段
２１  上板部
２２  嵌入凹部
２３  ボルト挿通孔
２４  ナット
２５  連結掛止部
２６  揺動掛止孔
２７  挿入溝
２８  突起部
３１  揺動連結部
３２  固定部
３３  固定部側上板部
３４  掛止部
３５  くびれ部
３６  切り欠き
３７  ボルト係合片
１０  吊りボルト
１１  野縁受け
１２  上側ナット
【図１】
2017222990.tif 000003
【図２】
2017222990.tif 000004
【図３】
2017222990.tif 000005
【図４】
2017222990.tif 000006
【図５】
2017222990.tif 000007
【図６】
2017222990.tif 000008
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
建築構造体に支持された吊りボルトに対して長尺状の野縁受けを水平に吊り下げるための天井施工用ハンガーであって、
前記野縁受けを嵌め入れる嵌入手段と、この嵌入手段に嵌め入れられた野縁受けを固定する固定手段とを有し、
前記嵌入手段は、ボルト挿通孔が形成された上板部と、この上板部から下方向に延出されるとともにその下端において前記野縁受けを嵌め入れ可能に上方向が略凹状に開口してなる嵌入凹部とを有し、
前記固定手段は、前記嵌入凹部の一端部を基端として上下方向に開閉揺動可能に連結された揺動連結部と、この揺動連結部が閉じる方向に揺動した際に前記嵌入凹部に嵌め入れられた野縁受けを固定する固定部と、この固定部から上方に延出されるとともにその先端側が折り曲げられており前記固定部が前記野縁受けを固定する位置に配置された際に前記上板部の上面に重なり合う固定部側上板部とを有し、
前記固定部は、前記嵌入凹部の上方開口面を塞ぐとともに、前記嵌入凹部に嵌め入れられた野縁受けを上方から押さえて固定しうるように、前記揺動連結部に対して略直角方向に折り曲げられて形成されている、前記天井施工用ハンガー。
【請求項２】
建築構造体に支持された吊りボルトに対して長尺状の野縁受けを水平に吊り下げるための天井施工用ハンガーであって、
前記野縁受けを嵌め入れる嵌入手段と、この嵌入手段に嵌め入れられた野縁受けを固定する固定手段とを有し、
前記嵌入手段は、ボルト挿通孔が形成された上板部と、この上板部から下方向に延出されるとともにその下端において前記野縁受けを嵌め入れ可能に上方向が略凹状に開口してなる嵌入凹部とを有し、
前記固定手段は、前記嵌入凹部の一端部を基端として上下方向に開閉揺動可能に連結された揺動連結部と、この揺動連結部が閉じる方向に揺動した際に前記嵌入凹部に嵌め入れられた野縁受けを固定する固定部と、この固定部から上方に延出されるとともにその先端側が折り曲げられており前記固定部が前記野縁受けを固定する位置に配置された際に前記上板部の上面に重なり合う固定部側上板部とを有し、
前記上板部の下面には、前記吊りボルトに螺合可能なナットが予め前記ボルト挿通孔と同軸上に回転自在に取り付けられている、前記天井施工用ハンガー。
【請求項３】
建築構造体に支持された吊りボルトに対して長尺状の野縁受けを水平に吊り下げるための天井施工用ハンガーであって、
前記野縁受けを嵌め入れる嵌入手段と、この嵌入手段に嵌め入れられた野縁受けを固定する固定手段とを有し、
前記嵌入手段は、ボルト挿通孔が形成された上板部と、この上板部から下方向に延出されるとともにその下端において前記野縁受けを嵌め入れ可能に上方向が略凹状に開口してなる嵌入凹部とを有し、
前記固定手段は、前記嵌入凹部の一端部を基端として上下方向に開閉揺動可能に連結された揺動連結部と、この揺動連結部が閉じる方向に揺動した際に前記嵌入凹部に嵌め入れられた野縁受けを固定する固定部と、この固定部から上方に延出されるとともにその先端側が折り曲げられており前記固定部が前記野縁受けを固定する位置に配置された際に前記上板部の上面に重なり合う固定部側上板部とを有し、
前記固定部側上板部には、前記上板部に重なった際に吊りボルトを嵌入しうる切り欠きが形成されており、この切り欠きの縁部には、上方に屈曲されており、この上方に屈曲されていた状態から前記固定部側上板部に沿った真っ直ぐな状態に変形した際に、その先端が吊りボルトのねじ谷部に食い込むように係合するボルト係合片が形成されている、前記天井施工用ハンガー。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
建築構造体に支持された吊りボルトに対して長尺状の野縁受けを水平に吊り下げるための天井施工用ハンガーであって、
前記野縁受けを嵌め入れる嵌入手段と、この嵌入手段に嵌め入れられた野縁受けを固定する固定手段とを有し、
前記嵌入手段は、ボルト挿通孔が形成された上板部と、この上板部から下方向に延出されるとともにその下端側を略水平かつ外側方向に折り曲げ、さらにその先端側を略垂直上方向に折り曲げることにより前記野縁受けを嵌め入れ可能に上方向が略凹状に開口してなる嵌入凹部とを有し、
前記固定手段は、前記嵌入凹部の一端部を基端として上下方向に開閉揺動可能に連結された揺動連結部と、この揺動連結部が閉じる方向に揺動した際に前記嵌入凹部に嵌め入れられた野縁受けを固定する固定部と、この固定部から上方に延出されるとともにその先端側が折り曲げられており前記固定部が前記野縁受けを固定する位置に配置された際に前記上板部の上面に重なり合う固定部側上板部とを有し、
前記固定部は、前記嵌入凹部の上方開口面を塞ぐとともに、前記嵌入凹部に嵌め入れられた野縁受けを上方から押さえて固定しうるように、前記揺動連結部に対して略直角方向に折り曲げられて形成されている、前記天井施工用ハンガー。
【請求項２】
前記嵌入手段の前記上板部の下面には、前記吊りボルトに螺合可能であって野縁受けの高さレベルの調整が可能なナットが予め前記ボルト挿通孔と同軸上に回転自在に取り付けられている、請求項１に記載の天井施工用ハンガー。
【請求項３】
前記固定部側上板部には、前記上板部に重なった際に吊りボルトを嵌入しうる切り欠きが形成されており、この切り欠きの縁部には、上方に屈曲されており、この上方に屈曲されていた状態から前記固定部側上板部に沿った真っ直ぐな状態に変形した際に、その先端が吊りボルトのねじ谷部に食い込むように係合して前記固定部側上板部の上下動を規制するボルト係合片が形成されている、請求項１または請求項２に記載の天井施工用ハンガー。